(57)【要約】【課題】  ＡＣＦ貼付の有無を検出する際に、透過型センサーと反射型センサのいずれも用いることを可能とし、検出精度を向上させる。【解決手段】  金属パターン２が形成された基板１上に電子回路部品を搭載するためにＡＣＦ３を貼り付けた後に、ＡＣＦ３が所定の位置に貼付されているか否かを検出する。この際に、基板１のＡＣＦ貼付エリアにＡＣＦダミーエリアを設定し、このＡＣＦダミーエリア内に円形状穴やスリットなどの貫通穴４を金型加工やＮＣ加工により形成して、ＡＣＦダミーエリアを含むＡＣＦ貼付エリア上にＡＣＦ３を貼り付ける。この後、基板１の一方側の透過型光センサ５ａから光を照射し、貫通穴４を透過した光を基板１の他方側に配置された透過型光センサ５ｂにて受光して検出する。【選択図】  図１
2006210610.tif 000002
【特許請求の範囲】
【請求項１】
所定の金属パターン上にＡＣＦ（ＡｎｉｓｏｔｒｏｐｉｃＣｏｎｄｕｃｔｉｖｅ Ｆｉｌｍ；異方性導電膜）を介して電子回路部品を搭載可能とする基板において、
該ＡＣＦの貼付エリアに貫通穴が設けられている基板。
【請求項２】
前記貫通穴は、前記ＡＣＦの貼付エリアに設定されたＡＣＦダミーエリアに形成されている請求項１に記載の基板。
【請求項３】
前記貫通穴は、前記ＡＣＦの貼付エリアの始点および終点の少なくとも一方に形成されている請求項１または２に記載の基板。
【請求項４】
前記貫通穴は、前記ＡＣＦの貼付エリアの少なくとも始点および終点、該始点と該終点との中間の任意の箇所に形成されている請求項１または２に記載の基板。
【請求項５】
前記貫通穴は、円形状またはスリット形状に形成されている請求項１〜４のいずれかに記載の基板。
【請求項６】
前記貫通穴は数値制御加工または金型加工により形成されている請求項１〜５のいずれかに記載の基板。
【請求項７】
請求項１〜６のいずれかに記載の基板上に電子回路部品を搭載するために前記ＡＣＦを貼り付けた後、該ＡＣＦが所定の位置に貼付られているか否かを検出するＡＣＦ貼付有無検出方法であって、
前記ＡＣＦ貼付エリアに該ＡＣＦを貼付した後に、該基板の一方側から光を照射して、前記貫通穴を通過した光を透過型光センサによって該基板の他方側で検出することにより、ＡＣＦ貼付の有無を検出するＡＣＦ貼付有無検出方法。
【請求項８】
請求項１〜６のいずれかに記載の基板上に電子回路部品を搭載するために前記ＡＣＦを貼り付けた後、該ＡＣＦが所定の位置に貼付られているか否かを検出するＡＣＦ貼付有無検出方法であって、
前記ＡＣＦ貼付エリアに該ＡＣＦを貼付した後に、該基板の一方側にベース材を配置し、該基板の他方側から光を照射して、前記貫通穴を通過して該ベース材で反射した光を反射型光センサによって該基板の他方側で検出することにより、ＡＣＦ貼付の有無を検出するＡＣＦ貼付有無検出方法。
【請求項９】
前記ベース材は、前記反射型光センサとの間に前記ＡＣＦがある場合と該ＡＣＦがない場合で、その表面の色度または／および反射輝度に所定以上の差を有するように設定されている請求項８に記載のＡＣＦ貼付有無検出方法。
【請求項１０】
前記色度は、赤、緑および青のうち前記反射型光センサにおける検出精度が最良になるように設定されている請求項９に記載のＡＣＦ貼付有無検出方法。
【請求項１１】
前記反射輝度は、鏡状から乱反射状までの反射率の間で、前記反射型光センサにおける検出精度が最良になるように設定されている請求項９に記載のＡＣＦ貼付有無検出方法。
【請求項１２】
前記光はレーザ光である請求項７または８に記載のＡＣＦ貼付有無検出方法。
【請求項１３】
前記基板はプリント基板である請求項７または８に記載のＡＣＦ貼付有無検出方法。
【請求項１４】
ＡＣＦ（ＡｎｉｓｏｔｒｏｐｉｃＣｏｎｄｕｃｔｉｖｅ Ｆｉｌｍ；異方性導電膜）を用いて基板上に電子回路部品を接続して電子機器を製造する電子機器の製造方法において、
請求項７〜１３のいずれかに記載のＡＣＦ貼付有無検出方法により該基板上の所定位置へのＡＣＦ貼付の有無を検出する検査工程と、
検査結果がＡＣＦ貼付「有」の場合に、該基板上の所定位置に該電子回路部品を搭載する電子回路部品搭載工程とを有する電子機器の製造方法。
【請求項１５】
前記電子回路部品搭載工程は、前記電子回路部品が前記基板上の所定位置に位置合わせされた状態で、該電子回路部品を前記ＡＣＦ上に当接させて加熱下で加圧する請求項１４に記載の電子機器の製造方法。.
【請求項１６】
前記検査工程の前工程として、前記基板のＡＣＦ貼付エリアに貫通穴を形成する工程を更に有する請求項１４に記載の電子機器の製造方法。
【発明の詳細な説明】
【技術分野】
【０００１】
本発明は、所定の金属パターン上にＡＣＦ（ＡｎｉｓｏｔｒｏｐｉｃＣｏｎｄｕｃｔｉｖｅ Ｆｉｌｍ；異方性導電膜）を介して電子回路部品を搭載可能とする基板、この基板として、例えば液晶表示装置などの製造工程において、例えばＰＷＢ（ＰｒｉｎｔｔｅｄＷｉｒｉｎｇ Ｂｏａｒｄ）およびＰＣＢ（Ｐｒｉｎｔｔｅｄ Ｃｉｒｃｕｉｔ Ｂｏａｒｄ ）などのプリント基板に対して、集積回路素子がフレキシブル基板に実装された電子回路部品をＴＡＢ（ＴａｐｅＡｕｔｏｍａｔｅｄ Ｂｏｎｄｉｎｇ）搭載させるために、基板上にＡＣＦを貼付する工程で、そのＡＣＦが所定位置に正しく貼付されているか否かを検出するためのＡＣＦ貼付有無検出方法および、これを用いた電子機器の製造方法に関する。
【背景技術】
【０００２】
従来の液晶表示装置では、一対の透明基板間に液晶が封入されて液晶セルが構成されており、この液晶セルの少なくとも２辺に設けられたリードに、集積回路素子がフレキシブル基板に実装された電子回路部品が搭載されている。この電子回路部品は、ドライバ回路を構成するものであり、この電子回路部品にＰＣＢやＰＷＢが接続されている。
【０００３】
この電子回路部品は、ハンダ付けなどにより基板上に搭載させることができるが、ファインピッチ化などを図るために、リード数が多い液晶セル側については、一般に、ＡＣＦを用いたＴＡＢ搭載方式によって電子回路部品が搭載されている。また、近年においては、ＰＷＢについても、ＴＡＢ搭載方式によって電子回路部品が搭載されるようになってきている。
【０００４】
ＴＡＢ搭載を行うためには、まず、薄膜テープ状のＡＣＦが基板（液晶セルの透明基板、ＰＷＢまたはＰＣＢ）上に設けられたリード群上に貼付される。次に、電子回路部品が基板上に対して正確に位置合わせされるようにアライメントされた状態で、電子回路部品のフレキシブル基板がＡＣＦ上に当接されて、加熱下で加圧される。
【０００５】
ＡＣＦは、粘着性を有する電気絶縁物質からなるバインダ樹脂に導電粒子を分散させたものであり、このＡＣＦを間に介して電子回路部品を基板のリード群上に熱圧着させることにより、電子回路部品のフレキシブル基板に設けられた電極が、基板表面のリード群と導電粒子を介して電気的に接続される。また、このバインダ樹脂によって、電子回路部品のフレキシブル基板と、これをＴＡＢ搭載する基板との間が接着される。
【０００６】
このＡＣＦは、薄い膜状で幅寸法が短いテープ状のものであり、これが基板上に貼付された後に台紙テープを剥離するときに、ＡＣＦが破れることなどによって台紙テープ側に固着されたまま、基板上から引き剥がされることがある。このため、ＡＣＦを基板上に貼付した後に、電子回路部品を搭載する前に、基板上にＡＣＦが所定位置に正しく貼付されているか否か（所定位置にＡＣＦがあるか否か）を確認する必要がある。
【０００７】
従来より、ＡＣＦ貼付の有無を確認するために、例えば光センサが用いられている。光センサを用いてＡＣＦ貼付の有無を確認するために、液晶セルを構成する透明基板では、例えば透明基板の一方側から光を照射して他方側に配置された透過型センサによって透過光を検出する方法を用いることができる。
【０００８】
しかしながら、ＰＷＢ（またはＰＣＢ）に貼付されるＡＣＦの有無を検出するためには、基板の一方側から光を照射して同じ側に配置された反射型センサによって反射光を検出する方法を用いる必要がある。これは、ＰＷＢ（またはＰＣＢ）にはＣｕパターンなどからなる配線やＡｕメッキなどからなるランドなどのような金属配線パターンが多数存在し、その金属配線パターン部分では光が透過しないからである。
【０００９】
図５は、従来の反射型センサを用いたＡＣＦ貼付の有無を検出する方法を説明するための断面図である。
【００１０】
図５において、ＰＷＢなどの基板１０１上の所定位置にＡｕめっきなどからなるランドなどの金属パターン１０２が形成され、この金属パターン１０２上にＡＣＦ１０３が貼付される。この基板１０１の一方側（図５では上側）から光を照射して、その表面反射光を反射型センサ１０４で光検出することによって、ＡＣＦ１０３の貼付の有無が検出されるようになっている。ＡＣＦ１０３の貼付が「有」の場合に、電子回路部品を金属パターン１０２上にＡＣＦ１０３にて接続する。これによって、従来の電子回路部品搭載基板１００が構成される。
【００１１】
例えば特許文献１では、ＡＣＦ貼付の前後で、リード形成部とそれ以外の部分との間のＣＲ（コントラスト：濃度）差を反射型センサ１０４によって検出し、基板上の所定位置に貼付されたＡＣＦの有無を検出する方法が開示されている。
【特許文献１】特開２００３−６９１９９号公報
【発明の開示】
【発明が解決しようとする課題】
【００１２】
上述した従来技術では、光が透過しない金属配線パターンがＰＷＢ（またはＰＣＢ）上に多数存在するために、ＰＷＢ（またはＰＣＢ）上に対してＡＣＦ貼付の有無を検出するために反射型センサ１０４を用いる必要があり、透過型センサを用いることができなかった。
【００１３】
また、従来の反射型センサ１０４を用いたＡＣＦ貼付の有無を検出する方法では、Ａｕめっきからなるランド１０２、Ｃｕパターンや基板基材などの仕上がり状態（めっき表面の仕上がりのバラツキ）などによって、ベース部分（ＡＣＦが貼付されていない部分）の色度や反射率が変化するため、検査対象の基板が変わる毎に、ＡＣＦ貼付の有無の識別レベル（認識制度）も変化する。このため、生産工程で使用される基板個々のばらつきが、ＡＣＦ貼付の有無の識別レベルをばらつかせることになり、また、ＡＣＦ自体にもばらつきがあるため、ＡＣＦ貼付の有無の検出精度が大幅に低下するという問題があった。
【００１４】
本発明は、上記従来の問題を解決するもので、透過型センサを用いることが可能で、反射型センサを用いた場合でも基板個々のばらつきによる識別レベルのばらつきを防いで検出精度を向上させることができる基板、これを用いたＡＣＦ貼付有無検出方法および、これを用いた電子機器の製造方法を提供することを目的とする。
【課題を解決するための手段】
【００１５】
本発明の基板は、所定の金属パターン上にＡＣＦ（ＡｎｉｓｏｔｒｏｐｉｃＣｏｎｄｕｃｔｉｖｅ Ｆｉｌｍ；異方性導電膜）を介して電子回路部品を搭載可能とする基板において、該ＡＣＦの貼付エリアに貫通穴が設けられており、そのことにより上記目的が達成される。
【００１６】
また、好ましくは、本発明の基板における貫通穴は、前記ＡＣＦの貼付エリアに設定されたＡＣＦダミーエリアに形成されている。
【００１７】
さらに、好ましくは、本発明の基板における貫通穴は、前記ＡＣＦの貼付エリアの始点および終点の少なくとも一方に形成されている。
【００１８】
さらに、好ましくは、本発明の基板における貫通穴は、前記ＡＣＦの貼付エリアの少なくとも始点および終点、該始点と該終点との中間の任意の箇所に形成されている。
【００１９】
さらに、好ましくは、本発明の基板における貫通穴を、円形状またはスリット形状に形成されている。
【００２０】
さらに、好ましくは、本発明の基板における貫通穴は数値制御加工または金型加工により形成されている。
【００２１】
本発明のＡＣＦ貼付有無検出方法は、本発明に記載の上記基板上に電子回路部品を搭載するために前記ＡＣＦを貼り付けた後、該ＡＣＦが所定の位置に貼付られているか否かを検出するＡＣＦ貼付有無検出方法であって、
前記ＡＣＦ貼付エリアに該ＡＣＦを貼付した後に、該基板の一方側から光を照射して、前記貫通穴を通過した光を透過型光センサによって該基板の他方側で検出することにより、ＡＣＦ貼付の有無を検出し、そのことにより上記目的が達成される。
【００２２】
本発明のＡＣＦ貼付有無検出方法は、本発明に記載の上記基板上に電子回路部品を搭載するために前記ＡＣＦを貼り付けた後、該ＡＣＦが所定の位置に貼付られているか否かを検出するＡＣＦ貼付有無検出方法であって、
前記ＡＣＦ貼付エリアに該ＡＣＦを貼付した後に、該基板の一方側にベース材を配置し、該基板の他方側から光を照射して、前記貫通穴を通過して該ベース材で反射した光を反射型光センサによって該基板の他方側で検出することにより、ＡＣＦ貼付の有無を検出し、そのことにより上記目的が達成される。
【００２３】
本発明のＡＣＦ貼付有無検出方法は、金属パターンが形成された基板上に電子回路部品を搭載するためにＡＣＦ（ＡｎｉｓｏｔｒｏｐｉｃＣｏｎｄｕｃｔｉｖｅ Ｆｉｌｍ；異方性導電膜）を貼り付けた後、該ＡＣＦが所定の位置に貼付られているか否かを検出するＡＣＦ貼付有無検出方法であって、
該基板上のＡＣＦ貼付エリアに貫通穴を形成して、該ＡＣＦ貼付エリアに該ＡＣＦを貼付した後に、該基板の一方側から光を照射して、該貫通穴を通過した光を透過型光センサによって該基板の他方側で検出することにより、ＡＣＦ貼付の有無を検出し、そのことにより上記目的が達成される。
【００２４】
本発明のＡＣＦ貼付有無検出方法は、金属パターンが形成された基板上に電子回路部品を搭載するためにＡＣＦ（ＡｎｉｓｏｔｒｏｐｉｃＣｏｎｄｕｃｔｉｖｅ Ｆｉｌｍ；異方性導電膜）を貼り付けた後、該ＡＣＦが所定の位置に貼付られているか否かを検出するＡＣＦ貼付有無検出方法であって、
該基板上のＡＣＦ貼付エリアに貫通穴を形成して、該ＡＣＦ貼付エリアに該ＡＣＦを貼付した後に、該基板の一方側にベース材を配置し、該基板の他方側から光を照射して、該貫通穴を通過して該ベース材で反射した光を反射型光センサによって該基板の他方側で検出することにより、ＡＣＦ貼付の有無を検出し、そのことにより上記目的が達成される。
【００２５】
本発明のＡＣＦ貼付有無検出方法は、金属パターンが形成された基板上に電子回路部品を搭載するためにＡＣＦ（ＡｎｉｓｏｔｒｏｐｉｃＣｏｎｄｕｃｔｉｖｅ Ｆｉｌｍ；異方性導電膜）を貼り付けた後、該ＡＣＦが所定の位置に貼付られているか否かを検出するＡＣＦ貼付有無検出方法であって、
該基板上のＡＣＦ貼付エリアにＡＣＦダミーエリアを設定し、該ＡＣＦダミーエリアに貫通穴を形成して、該ＡＣＦダミーエリアを含むＡＣＦ貼付エリアに該ＡＣＦを貼付した後に、該基板の一方側から光を照射して、該貫通穴を通過した光を透過型光センサによって該基板の他方側で検出することにより、ＡＣＦ貼付の有無を検出し、そのことにより上記目的が達成される。
【００２６】
本発明のＡＣＦ貼付有無検出方法は、金属パターンが形成された基板上に電子回路部品を搭載するためにＡＣＦ（ＡｎｉｓｏｔｒｏｐｉｃＣｏｎｄｕｃｔｉｖｅ Ｆｉｌｍ；異方性導電膜）を貼り付けた後、該ＡＣＦが所定の位置に貼付られているか否かを検出するＡＣＦ貼付有無検出方法であって、
該基板上のＡＣＦ貼付エリアにＡＣＦダミーエリアを設定し、該ＡＣＦダミーエリアに貫通穴を形成して、該ＡＣＦダミーエリアを含むＡＣＦ貼付エリアに該ＡＣＦを貼付した後に、該基板の一方側にベース材を配置し、該基板の他方側から光を照射して、該貫通穴を通過して該ベース材で反射した光を反射型光センサによって該基板の他方側で検出することにより、ＡＣＦ貼付の有無を検出し、そのことにより上記目的が達成される。
【００２７】
また、好ましくは、本発明のＡＣＦ貼付有無検出方法におけるベース材は、前記反射型光センサとの間に前記ＡＣＦがある場合と該ＡＣＦがない場合で、その表面の色度または／および反射輝度に所定以上の差を有するように設定されている。
【００２８】
さらに、好ましくは、本発明のＡＣＦ貼付有無検出方法における色度は、赤、緑および青のうち前記反射型光センサにおける検出精度が最良になるように設定されている。
【００２９】
さらに、好ましくは、本発明のＡＣＦ貼付有無検出方法における反射輝度は、鏡状から乱反射状までの反射率の間で、前記反射型光センサにおける検出精度が最良になるように設定されている。
【００３０】
さらに、好ましくは、本発明のＡＣＦ貼付有無検出方法における貫通穴を、前記ＡＣＦ貼付の始点および終点の少なくとも一方に形成する。
【００３１】
さらに、好ましくは、本発明のＡＣＦ貼付有無検出方法における貫通穴を、前記ＡＣＦ貼付の少なくとも始点および終点、該始点と該終点との中間の任意の箇所に形成する。
【００３２】
さらに、好ましくは、本発明のＡＣＦ貼付有無検出方法における貫通穴を、円形状またはスリット形状に形成する。
【００３３】
さらに、好ましくは、本発明のＡＣＦ貼付有無検出方法における貫通穴は数値制御加工または金型加工により形成する。
【００３４】
さらに、好ましくは、本発明のＡＣＦ貼付有無検出方法における光はレーザ光である。
【００３５】
さらに、好ましくは、本発明のＡＣＦ貼付有無検出方法における基板はプリント基板のいずれかである。
【００３６】
本発明の電子機器の製造方法は、ＡＣＦ（ＡｎｉｓｏｔｒｏｐｉｃＣｏｎｄｕｃｔｉｖｅ Ｆｉｌｍ；異方性導電膜）を用いて基板上に電子回路部品を接続して電子機器を製造する電子機器の製造方法において、請求項７〜１３のいずれかに記載の上記ＡＣＦ貼付有無検出方法により該基板上の所定位置へのＡＣＦ貼付の有無を検出する検査工程と、この検査結果がＡＣＦ貼付「有」の場合に、該基板上の所定位置に該電子回路部品を搭載する電子回路部品搭載工程とを有し、そのことにより上記目的が達成される。
【００３７】
また、好ましくは、電子機器の製造方法における電子回路部品搭載工程は、前記電子回路部品が前記基板上の所定位置に位置合わせされた状態で、該電子回路部品を前記ＡＣＦ上に当接させて加熱下で加圧する。
【００３８】
さらに、好ましくは、電子機器の製造方法における検査工程の前工程として、前記基板のＡＣＦ貼付エリアに貫通穴を形成する工程を更に有する。
【００３９】
上記構成により、以下に、本発明の作用について説明する。
【００４０】
本発明にあっては、ＰＷＢやＰＣＢなどの基板上に電子回路部品を搭載するために貼り付けられるＡＣＦが所定位置に正しく貼付されているか否か（所定位置にＡＣＦがあるか否か）を検出する際に、基板上のＡＣＦ貼付エリアにＮＣ加工による穴（スリット）などを設けることにより、透過型センサの使用が可能となる。
【００４１】
また、反射型センサを用いる場合であっても、ベース部を自由に設定することができるため、反射型センサの検出方法に適したベース材を用いて、メッキや基材の仕上がりばらつき、ＡＣＦのばらつきなどによらず、ＡＣＦ有無の検出能力（精度）を向上させることが可能となる。
【００４２】
この本発明のＡＣＦ貼付有無検出方法を用いて歩留まりよく液晶表示装置などの電子機器を製造することが可能となる。
【発明の効果】
【００４３】
以上説明したように、本発明によれば、ＡＣＦ貼付エリアにＮＣ加工による穴（スリット）などを設けることにより、透過型センサおよび反射型センサなど、様々な検出手段を用いることができる。また、ベース部を自由に設定することができるため、従来技術のような反射型センサを用いた場合に、個々の基板のばらつきによる識別レベルのばらつきを防ぐことができて、ＡＣＦ有無の検出能力（検出精度）を向上させることができる。
【００４４】
この本発明のＡＣＦ貼付有無検出方法を用いて歩留まりよく液晶表示装置などの電子機器を製造することができる。
【発明を実施するための最良の形態】
【００４５】
以下に、本発明のＡＣＦ貼付有無検出方法を用いた液晶表示装置などの電子機器を製造方法の実施形態１，２について、図面を参照しながら詳細に説明する。
（実施形態１）
図１は、本発明の実施形態１に係るＡＣＦ貼付有無検出方法を実行するための基板構成図であって、（ａ）はＡＣＦが貼付された基板を示す平面図、（ｂ）は（ａ）の左側に丸で囲んだ部分Ａを拡大して示す一部拡大平面図、（ｃ）は（ａ）の右側に丸で囲んだ部分Ｂを拡大して示す一部拡大平面図である。図２は、図１（ｃ）を更に拡大した基板構成図であって、（ａ）はその平面図、（ｂ）はその断面図、（ｃ）はその側面図である。
【００４６】
図１（ａ）〜図１（ｃ）および図２（ａ）〜図２（ｃ）において、基板１上にＡｕメッキなどからなるランドなどの金属パターン２が形成され、その上にＡＣＦ３が貼付されている。また、基板１からＡＣＦ３が最も剥がれ易い部分であるＡＣＦ貼付始点と終点に相当する基板両端位置（ＡＣＦ貼付エリアの丸で囲んだ部分Ａ，Ｂの各位置）に、ＮＣ加工や金型加工などによりスリットや円形状の貫通穴４が設けられている。このように、ＡＣＦ貼付部（ＡＣＦ貼付エリア）の下に貫通穴４を設けることにより、反射型センサよりも検出精度が高い透過型センサの使用が可能となる。
【００４７】
なお、ここでは、貫通穴４をＡＣＦ貼付始点と終点にそれぞれ形成したが、これに限らず、必要に応じて、例えば中央部を含む矢印Ｃ〜Ｅの各位置に貫通穴４を追加してもよく、これによって、ＡＣＦ貼付の検出精度をより向上させることができる。
【００４８】
上記構成により、本実施形態１のＡＣＦ貼付有無検出方法について図３（ａ）〜図３（ｃ）を用いて説明する。
【００４９】
図３（ａ）〜図３（ｃ）は、本発明の実施形態１に係るＡＣＦ貼付有無検出方法について説明するための各断面図である。
【００５０】
透過型センサ５ａ，５ｂを用いる場合、図３（ａ）に示すように、基板１を挟んで貫通穴４に対応する位置に透過型センサ５ａ，５ｂをそれぞれ配置する。このとき、発光側（光照射側）の透過型センサ５ａおよび受光側（光検出側）の透過型センサ５ｂは、基板１の一方側と他方側に配置されていれば、いずれに配置していてもよい。例えば図３（ｂ）および図３（ｃ）に示すように、基板１の一方側から光を照射して、光が透過するか（透過光が所定レベル以上）、または透過しないか（透過光が所定レベル以下）を、基板１の他方側からの透過光量が所定光量以上かどうかを検出することによって、貫通穴４に対応する位置のＡＣＦ貼付の有無を検出することができる。この場合の光はレーザ光であってもよい。
【００５１】
図３（ｂ）では、発光側（発信側）の透過型センサ５ａからの光が貫通穴４を通して受光側（受信側）の透過型センサ５ｂに向かう途中にＡＣＦ３が存在するため、透過型センサ５ａからの光がＡＣＦ３によって受光側の透過型センサ５ｂに所定光量以上が届かず、ＡＣＦ３が貼付されていると認識される。
【００５２】
図３（ｃ）では、発光側の透過型センサ５ａからの光が貫通穴４を通して受光側の透過型センサ５ｂに向かう途中にＡＣＦ３が存在していないため、透過型センサ５ａからの光が透過して受光側の透過型センサ５ｂに所定光量以上が届いて、ＡＣＦ３が貼付されていないと認識される。
【００５３】
ここで、このような本実施形態１のＡＣＦ貼付有無検出方法を用いて、基板１上に電子回路部品がＡＣＦ３により接続される電子機器の製造方法について説明する。
【００５４】
本実施形態１のＡＣＦ貼付有無検出方法として、まず、基板１上のＡＣＦ貼付エリアに貫通穴４を形成するかまたは、基板１上のＡＣＦ貼付エリアにＡＣＦダミーエリアを設定し、このＡＣＦダミーエリアに貫通穴４を形成する。次に、この貫通穴４が形成されたＡＣＦダミーエリアを含むＡＣＦ貼付エリアに、ＡＣＦ３を貼付する。その後、基板１の一方側の透過型センサ５ａから光を照射し、貫通穴４を透過した光を透過型光センサ５ｂによって基板１の他方側にて検出する。これによって、所定位置でのＡＣＦ貼付の有無を検出する検査工程を実行することができる。
【００５５】
さらに、この検出結果（検査結果）がＡＣＦ貼付「有」の場合に、電子回路部品が基板１上に位置合わせした状態で、電子回路部品（フレキシブル基板の各端子）をＡＣＦ３上に当接させ、加熱下でこれを加圧することにより、基板１の所定位置（ＡＣＦ貼付エリア）上に電子回路部品を電気的に接続して搭載する電子回路部品搭載工程を実行することができる。このように、電子回路部品を金属パターン２上にＡＣＦ３にて接続することによって、本実施形態１の電子回路部品搭載基板１０が構成される。
【００５６】
本実施形態１の電子回路部品搭載基板１０を用いて、歩留まりよく液晶表示装置などの電子機器を製造することができる。
（実施形態２）
上記実施形態１では透過型センサ５ａ，５ｂを用いる場合について説明したが、本実施形態２では反射型センサを用いる場合について説明する。
【００５７】
図４は、本発明の実施形態２に係るＡＣＦ貼付有無検出方法について説明するための断面図である。
【００５８】
本実施形態２においても、図１のように、基板１上にＡｕメッキなどからなるランドなどの金属パターン２が形成されており、その上にＡＣＦ３が貼付されている。また、基板１からＡＣＦ３が最も剥がれ易い部分であるＡＣＦ貼付始点と終点に相当する基板両端位置（ＡＣＦ貼付エリアの丸で囲んだ部分Ａ，Ｂの各位置）に、ＮＣ加工や金型加工などによって円形状（ドリル加工）やスリット形状の貫通穴４が設けられている。
【００５９】
本実施形態２のように反射型センサ６を使用する場合には、図４に示すように、貫通穴４に対応する位置に反射型センサ６（発信側（光照射側）と受信側（光検出側））を配置する。このとき、反射型センサ６は、基板１のいずれか一方側（図４では上側）に配置されていればよい。ここでは、反射型センサ６の配置側（図４では貫通穴４の上側）とは反対側（図４では貫通穴４の下側）に、光反射用のベース材（ベースプレート）７を配置する。
【００６０】
この場合、ベース材７は、例えば色度（色味）または／および反射輝度（反射率または減衰率、濃淡など）など、反射型センサ６の検出方法に適した特徴を有するものを用いることができる。即ち、ベース材７は、反射型光センサ６との間にＡＣＦ３がある場合とＡＣＦ３がない場合で、その表面の色度または／および反射輝度に所定以上の差を有するように設定されている。このときの色度は、赤、緑および青の各色のうち反射型光センサ６の検出精度が最もよいものに設定する。また、この反射輝度は、鏡状から乱反射状まで反射型光センサ６の検出精度が最もよいものに設定する。
【００６１】
反射型センサ６から出射された光は、貫通穴４を通ってベース材７の表面で反射され、反射型センサ６により受光される。ＡＣＦ３が貼付されている場合と、ＡＣＦ３が貼付されていない場合とで、反射型センサ６の受光状態（例えば受光量）が変化するため、ＡＣＦ貼付の有無を検出することができる。
【００６２】
さらに、ベース材７として、反射型センサ６の検出方法に適した特徴を有するものを用いることにより、センサの検出能力（検出精度）をより向上させて、ＡＣＦ貼付有無の検出精度をより向上させることができる。
【００６３】
ここで、このような本実施形態２のＡＣＦ貼付有無検出方法を用いて、基板１上に電子回路部品がＡＣＦ３により接続される電子機器の製造方法について説明する。
【００６４】
本実施形態２のＡＣＦ貼付有無検出方法として、まず、基板１上のＡＣＦ貼付エリアにＡＣＦダミーエリアを設定し、このＡＣＦダミーエリアに貫通穴４を形成する。次に、この貫通穴４が形成されたＡＣＦダミーエリアを含むＡＣＦ貼付エリアに、ＡＣＦ３を貼付する。その後、基板１の一方側にベース材７をその表面が貫通穴４側になるように配置し、基板１の他方側から光を照射して、貫通穴４を透過してベース材７の表面で反射した光を、反射型光センサ６によって基板１の他方側から検出する。これによって、所定位置でのＡＣＦ貼付の有無を検出する検査工程を実行することができる。
【００６５】
さらに、この検出結果（検査結果）がＡＣＦ貼付「有」の場合に、電子回路部品が基板１上に位置合わせした状態で、電子回路部品（フレキシブル基板の各端子）をＡＣＦ３上に当接させ、これを加熱下で加圧することにより、基板１の所定位置（ＡＣＦ貼付エリア）上に電子回路部品を電気的に接続して搭載する電子回路部品搭載工程を実行することができる。このように、電子回路部品を金属パターン２上にＡＣＦ３にて接続することによって、本実施形態２の電子回路部品搭載基板１０が構成される。
【００６６】
本実施形態２の電子回路部品搭載基板１０を用いて、歩留まりよく液晶表示装置などの電子機器を製造することができる。
【００６７】
以上により、上記実施形態１，２によれば、金属パターン２が形成された基板１上に電子回路部品を搭載するためにＡＣＦ３を貼り付けた後に、ＡＣＦ３が所定の位置に貼付されているか否かを検出する。この際に、基板１のＡＣＦ貼付エリアにＡＣＦダミーエリアを設定し、このＡＣＦダミーエリア内に円形状穴やスリットなどの貫通穴４を金型加工やＮＣ加工により形成して、ＡＣＦダミーエリアを含むＡＣＦ貼付エリア上にＡＣＦ３を貼り付ける。この後、基板１の一方側の透過型光センサ５ａから光を照射し、貫通穴４を透過した光を基板１の他方側に配置された透過型光センサ５ｂにて受光して検出する。または、基板１の一方側にベース材７を配置し、基板１の他方側の反射型光センサ６から光を照射し、円形状穴やスリットなどの貫通穴４を透過してベース材７の表面で反射した光を基板１の他方側に配置された反射型光センサ６で受光して検出する。これらによって、ＡＣＦ貼付の有無を検出する際に、透過型センサ５ａ，５ｂと反射型センサ６のいずれをも用いることができて、検出精度をいっそう向上させることができる。さらに、この本発明のＡＣＦ貼付有無検出方法を用いて歩留まりよく液晶表示装置などの電子機器を製造することができる。
【００６８】
なお、ＰＷＢなどの基板１の加工を考えると、金型成形よりもＮＣ加工の方が位置精度および仕上がり状態が良好であるため、上記実施形態１，２では貫通穴４をドリル加工による円形状としているが、貫通穴４の形状は特に円形状に限らず、楕円形状や角形状、さらには細長いスリットの形状であってもよい。
【００６９】
また、ＡＣＦ貼付始点と終点では、台紙剥離などの影響もあってＡＣＦ３が剥がれ易いため、上記実施形態１，２ではＡＣＦ貼付の両端に１箇所ずつ計２箇所に貫通穴４を設けるようにしたが、ＡＣＦ貼付有無の検出精度を向上させるために、これに中央点などの始点と終点との中間の任意の箇所（例えば中央部）を加えて、３箇所以上に貫通穴４を設ける構成も可能である。これにより、検出箇所が増えるため、より確実に所定位置でのＡＣＦ貼付の有無を検出することができる。さらには、始点または終点の片側（一箇所）を確認するだけで充分な場合（台紙剥離を始点または終点の片側のみからする場合など）には、その始点と終点のいずれか一方側にのみ貫通穴４を設けるようにしてもよい。
【００７０】
上記実施形態１，２では、ＰＷＢなどの基板１上にＡＣＦ３を貼付した事例について説明したが、本発明は、ＰＷＢに限らず、基板１とその他の電子回路部品がＡＣＦ３を用いて接続する全ての電子機器について、ＡＣＦ３が所定位置に正しく貼付されているか否かを検出するために利用することが可能である。
【００７１】
さらに、上記実施形態１，２の貫通穴４は必ずしもＡＣＦダミーエリアに設けてもよいし、ＡＣＦ貼付エリアに設けてもよい。
【００７２】
以上のように、本発明の好ましい実施形態１，２を用いて本発明を例示してきたが、本発明は、この実施形態１，２に限定して解釈されるべきものではない。本発明は、特許請求の範囲によってのみその範囲が解釈されるべきであることが理解される。当業者は、本発明の具体的な好ましい実施形態１，２の記載から、本発明の記載および技術常識に基づいて等価な範囲を実施することができることが理解される。本明細書において引用した特許、特許出願および文献は、その内容自体が具体的に本明細書に記載されているのと同様にその内容が本明細書に対する参考として援用されるべきであることが理解される。
【産業上の利用可能性】
【００７３】
本発明は、例えば液晶表示装置などの製造工程において、ＰＷＢ（ＰｒｉｎｔｔｅｄＷｉｒｉｎｇ Ｂｏａｒｄ）およびＰＣＢ（Ｐｒｉｎｔｔｅｄ Ｃｉｒｃｕｉｔ Ｂｏａｒｄ ）などのプリント基板に対して、集積回路素子がフレキシブル基板に実装された電子回路部品をＴＡＢ（ＴａｐｅＡｕｔｏｍａｔｅｄ Ｂｏｎｄｉｎｇ）搭載させるために、基板上にＡＣＦ（Ａｎｉｓｏｔｒｏｐｉｃ Ｃｏｎｄｕｃｔｉｖｅ Ｆｉｌｍ；異方性導電膜）を貼付する工程で、ＡＣＦが所定位置に正しく貼付されているか否かを検出するためのＡＣＦ貼付有無検出方法および、これを用いた液晶表示装置などの電子機器の製造方法の分野において、ＡＣＦ貼付エリアにＮＣ穴（スリット）などを設けることにより、透過型センサおよび反射型センサなど、様々な検出手段を用いることができる。また、ベース板（ベース材）の表面の色度や反射輝度を自由に設定することができるため、従来技術のような反射型センサを用いた場合にも、個々の基板のばらつきによる識別レベルのばらつきを防いで、ＡＣＦ有無の検出能力（検出精度）を向上させることができる。
【図面の簡単な説明】
【００７４】
【図１】本発明の実施形態１に係るＡＣＦ貼付有無検出方法を実行するための基板構成図であって、（ａ）はＡＣＦが貼付された基板を示す平面図、（ｂ）は（ａ）の左側に丸で囲んだ部分Ａを拡大して示す一部拡大平面図、（ｃ）は（ａ）の右側に丸で囲んだ部分Ｂを拡大して示す一部拡大平面図である。
【図２】図１（ｃ）を更に拡大した基板構成図であって、（ａ）はその平面図、（ｂ）はその断面図、（ｃ）はその側面図である。
【図３】（ａ）〜（ｃ）は、本発明の実施形態１に係るＡＣＦ貼付有無検出方法について説明するための各断面図である。
【図４】本発明の実施形態２に係るＡＣＦ貼付有無検出方法について説明するための断面図である。
【図５】従来のＡＣＦ貼付有無検出方法について説明するための断面図である。
【符号の説明】
【００７５】
１  基板
２  金属パターン
３  ＡＣＦ
４  貫通穴（スリット穴または円形穴）
５ａ  発光側の透過型センサ
５ｂ  受光側の透過型センサ
６  反射型センサ
７  ベース材
１０  電子回路部品搭載基板
【図１】
2006210610.tif 000003
【図２】
2006210610.tif 000004
【図３】
2006210610.tif 000005
【図４】
2006210610.tif 000006
【図５】
2006210610.tif 000007